(57)【要約】【課題】コストを低減することができる貨幣処理機の提供。【解決手段】操作入力手段を有し操作入力手段への操作入力を伴って貨幣の少なくとも入金処理を行う貨幣処理機本体と、貨幣処理機本体に付設されて貨幣処理機本体で入金できない媒体を収納するポスト１２と、を備えた貨幣処理機であって、ポスト１２は、媒体を収納する開閉可能な第１の収納部６４と、第１の収納部６４を閉状態でロックするとともに操作入力手段への第１のロック解除操作によって第１の収納部６４の閉状態でのロックを解除する第１のロック手段と、第１の収納部６４よりも小さく、鍵９２，９６を収納する開閉可能な第２の収納部８３と、第２の収納部８３を閉状態でロックするとともに操作入力手段への第２のロック解除操作によって第２の収納部８３の閉状態でのロックを解除する第２のロック手段と、を有する。【選択図】図５
2018129067.tif 000002
【特許請求の範囲】
【請求項１】
操作入力手段を有し該操作入力手段への操作入力を伴って貨幣の少なくとも入金処理を行う貨幣処理機本体と、
前記貨幣処理機本体に付設されて該貨幣処理機本体で入金できない媒体を収納するポストと、を備えた貨幣処理機であって、
前記ポストは、
前記貨幣処理機本体と通信可能に接続されており、
投函口を有し、閉状態で該投函口を介して投函された前記媒体を収納する第１の収納空間を有する開閉可能な第１の収納部と、
前記第１の収納部を閉状態でロックするとともに前記操作入力手段への第１のロック解除操作によって前記第１の収納部の閉状態でのロックを解除する第１のロック手段と、
前記第１の収納部よりも小さく、鍵を収納する、前記第１の収納空間とは仕切られた第２の収納空間を有する開閉可能な第２の収納部と、
前記第２の収納部を閉状態でロックするとともに前記操作入力手段への第２のロック解除操作によって前記第２の収納部の閉状態でのロックを解除する第２のロック手段と、を有することを特徴とする貨幣処理機。
【請求項２】
前記鍵は、前記貨幣処理機本体用の鍵であることを特徴とする請求項１記載の貨幣処理機。
【請求項３】
前記鍵は、前記貨幣処理機本体以外の装置用の鍵であることを特徴とする請求項１または２記載の貨幣処理機。
【請求項４】
前記鍵は、連結部材によって前記第２の収納部に解除不可に連結されていることを特徴とする請求項１から３のいずれか一項記載の貨幣処理機。
【請求項５】
前記操作入力手段は、低位の操作者の認証を条件に、前記第１のロック解除操作が操作可能となり、上位の操作者の認証を条件に、前記第２のロック解除操作が操作可能となることを特徴とする請求項１から４のいずれか一項記載の貨幣処理機。
【請求項６】
前記操作入力手段は、操作者の認証を条件に、前記第１のロック解除操作および前記第２のロック解除操作が操作可能となることを特徴とする請求項１から４のいずれか一項記載の貨幣処理機。
【請求項７】
前記第１の収納部よりも小さく、鍵を収納する開閉可能な第３の収納部と、
前記第３の収納部を閉状態でロックするとともに前記操作入力手段への第３のロック解除操作によって前記第３の収納部の閉状態でのロックを解除する第３のロック手段と、を有することを特徴とする請求項１から４のいずれか一項記載の貨幣処理機。
【請求項８】
前記操作入力手段は、低位の操作者の認証を条件に、前記第１のロック解除操作および前記第２のロック解除操作が操作可能となり、上位の操作者の認証を条件に、前記第３のロック解除操作が操作可能となることを特徴とする請求項７記載の貨幣処理機。
【発明の詳細な説明】
【技術分野】
【０００１】
本発明は、貨幣処理機に関する。
【背景技術】
【０００２】
貨幣処理機において、小切手や手形、金券等の貨幣処理機本体では受け付けできない貨幣以外の金銭的価値がある媒体や、汚損貨幣や旧貨幣等の貨幣処理機本体では受け付けできない貨幣からなる媒体をポストに収納するものがある（例えば、特許文献１参照）。
【先行技術文献】
【特許文献】
【０００３】
【特許文献１】特開２０１０−１９８４５０号公報
【発明の概要】
【発明が解決しようとする課題】
【０００４】
上記のポストは、貨幣処理機本体では受け付けできない媒体を収納することができるものの、その用途に限られるものであった。ところで、貨幣を取り扱う現場では、その性質上、鍵を用いることが多く、鍵を収納しておく専用の管理装置が必要であり、コストが増大してしまっている。
【０００５】
したがって、本発明は、コストを低減することができる貨幣処理機の提供を目的とする。
【課題を解決するための手段】
【０００６】
上記目的を達成するために、請求項１に係る発明は、操作入力手段を有し該操作入力手段への操作入力を伴って貨幣の少なくとも入金処理を行う貨幣処理機本体と、前記貨幣処理機本体に付設されて該貨幣処理機本体で入金できない媒体を収納するポストと、を備えた貨幣処理機であって、前記ポストは、前記貨幣処理機本体と通信可能に接続されており、投函口を有し、閉状態で該投函口を介して投函された前記媒体を収納する第１の収納空間を有する開閉可能な第１の収納部と、前記第１の収納部を閉状態でロックするとともに前記操作入力手段への第１のロック解除操作によって前記第１の収納部の閉状態でのロックを解除する第１のロック手段と、前記第１の収納部よりも小さく、鍵を収納する、前記第１の収納空間とは仕切られた第２の収納空間を有する開閉可能な第２の収納部と、前記第２の収納部を閉状態でロックするとともに前記操作入力手段への第２のロック解除操作によって前記第２の収納部の閉状態でのロックを解除する第２のロック手段と、を有することを特徴とする。
【０００７】
請求項２に係る発明は、請求項１に係る発明において、前記鍵は、前記貨幣処理機本体用の鍵であることを特徴とする。
【０００８】
請求項３に係る発明は、請求項１または２に係る発明において、前記鍵は、前記貨幣処理機本体以外の装置用の鍵であることを特徴とする。
【０００９】
請求項４に係る発明は、請求項１から３のいずれか一項に係る発明において、前記鍵は、連結部材によって前記第２の収納部に解除不可に連結されていることを特徴とする。
【００１０】
請求項５に係る発明は、請求項１から４のいずれか一項に係る発明において、前記操作入力手段は、低位の操作者の認証を条件に、前記第１のロック解除操作が操作可能となり、上位の操作者の認証を条件に、前記第２のロック解除操作が操作可能となることを特徴とする。
【００１１】
請求項６に係る発明は、請求項１から４のいずれか一項に係る発明において、前記操作入力手段は、操作者の認証を条件に、前記第１のロック解除操作および前記第２のロック解除操作が操作可能となることを特徴とする。
【００１２】
請求項７に係る発明は、請求項１から４のいずれか一項に係る発明において、前記第１の収納部よりも小さく、鍵を収納する開閉可能な第３の収納部と、前記第３の収納部を閉状態でロックするとともに前記操作入力手段への第３のロック解除操作によって前記第３の収納部の閉状態でのロックを解除する第３のロック手段と、を有することを特徴とする。
【００１３】
請求項８に係る発明は、請求項７に係る発明において、前記操作入力手段は、低位の操作者の認証を条件に、前記第１のロック解除操作および前記第２のロック解除操作が操作可能となり、上位の操作者の認証を条件に、前記第３のロック解除操作が操作可能となることを特徴とする。
【発明の効果】
【００１４】
請求項１に係る発明によれば、貨幣処理機本体に付設されたポストに、貨幣処理機本体では入金できない媒体を収納する第１の収納部に加えて、これよりも小さい第２の収納部を設けてこの第２の収納部に鍵を収納する。よって、ポストに貨幣処理機本体で入金できない媒体に加えて鍵を収納することができる。したがって、鍵を収納しておく専用の管理装置が不要となり、あるいはその数を減らすことが可能となるため、コストを低減することができる。しかも、貨幣処理機本体の操作入力手段への第１のロック解除操作によって第１のロック手段が第１の収納部の閉状態でのロックを解除することになり、貨幣処理機本体の操作入力手段への第２のロック解除操作によって第２のロック手段が第２の収納部の閉状態でのロックを解除するため、貨幣処理機本体の操作入力手段をポストの第１の収納部の開放用および第２の収納部の開放用として共用できる。したがって、コストを低減することができる。
【００１５】
請求項２に係る発明によれば、貨幣処理機本体用の鍵をこの貨幣処理機本体に付設されたポストの第２の収納部に収納しておくため、貨幣処理機本体用の鍵が必要になった場合に即座に鍵を用意することができる。
【００１６】
請求項３に係る発明によれば、貨幣処理機本体以外の装置用の鍵を貨幣処理機本体に付設されたポストの第２の収納部に収納しておくため、鍵を一カ所に集中して収納しておくことができる。
【００１７】
請求項４に係る発明によれば、鍵が連結部材によって第２の収納部に解除不可に連結されているため、鍵の紛失や鍵が所在不明になることを防止できる。
【００１８】
請求項５に係る発明によれば、低位の操作者の認証を条件に、操作入力手段への第１のロック解除操作が可能となり、上位の操作者の認証を条件に、操作入力手段への第２のロック解除操作が可能となるため、第１の収納部による媒体の収納の安全を確保した上で、より安全に第２の収納部で鍵を収納することができる。
【００１９】
請求項６に係る発明によれば、操作者の認証を条件に、操作入力手段への第１のロック解除操作および第２のロック解除操作が可能となるため、第１の収納部で媒体を、第２の収納部で鍵を、それぞれ安全に収納することができる。
【００２０】
請求項７に係る発明によれば、貨幣処理機本体に付設されたポストに、貨幣処理機本体では入金できない媒体を収納する第１の収納部に加えて、これよりも小さい第２の収納部および第３の収納部を設けてこれら第２の収納部および第３の収納部にそれぞれ鍵を収納する。よって、鍵を第２の収納部および第３の収納部に分類して収納することができる。
【００２１】
請求項８に係る発明によれば、低位の操作者の認証を条件に、操作入力手段への第１のロック解除操作および第２のロック解除操作が可能となり、上位の操作者の認証を条件に、操作入力手段への第３のロック解除操作が可能となるため、第１の収納部での媒体の収納および第２の収納部での鍵の収納の安全を確保した上で、より安全に第３の収納部で鍵を収納することができる。
【図面の簡単な説明】
【００２２】
【図１】本発明の第１実施形態に係る貨幣処理機を示す斜視図である。
【図２】本発明の第１実施形態に係る貨幣処理機を示す要部のブロック図である。
【図３】本発明の第１実施形態に係る貨幣処理機の第１の収納部および第２の収納部が閉状態にあるポストを示す斜視図である。
【図４】本発明の第１実施形態に係る貨幣処理機の第１の収納部が開状態にあり第２の収納部が閉状態にあるポストを示す斜視図である。
【図５】本発明の第１実施形態に係る貨幣処理機の第１の収納部が閉状態にあり第２の収納部が開状態にあるポストを示す斜視図である。
【図６】本発明の第２実施形態に係る貨幣処理機のポストを示すもので、第１の収納部および第２の収納部が閉状態にあり第３の収納部が開状態にある状態を示す斜視図である。
【図７】本発明の第２実施形態に係る貨幣処理機を示す要部のブロック図である。
【発明を実施するための形態】
【００２３】
「第１実施形態」
本発明の第１実施形態に係る貨幣処理機を図１〜図５を参照して以下に説明する。
【００２４】
図１は、第１実施形態に係る貨幣処理機１０を示すものである。この貨幣処理機１０は、銀行等の金融機関やスーパーマーケット等の小売り施設に設置されるもので、貨幣の入金処理を含む種々の処理が可能な出納機である貨幣処理機本体１１と、貨幣処理機本体１１に付設されるポスト１２とからなっている。
【００２５】
貨幣を受け付ける貨幣処理機本体１１は、バラ紙幣の入出金処理等を行う紙幣処理ユニット１５と、バラ硬貨の入出金処理等を行う硬貨処理ユニット１６と、包装硬貨の出金処理等を行う棒金出金ユニット１７と、特定の金券の収納処理および発券処理等を行う金券処理ユニット１８とが左右に並設され一体化されて構成されている。この貨幣処理機本体１１は、包装硬貨については、棒金出金ユニット１７に装填されたものの出金処理のみが可能となっており、機内でのバラ硬貨から包装硬貨への包装処理は行わず、コンパクト化が図られている。
【００２６】
紙幣処理ユニット１５には、入金処理時に操作者によりバラ紙幣が外部から投入され、出金処理時に内部からバラ紙幣が取り出し可能に繰り出される紙幣入出口２１と、入金処理時に入金されたバラ紙幣の中から偽紙幣あるいは汚損紙幣等と判別されたリジェクト紙幣が取り出し可能に繰り出される紙幣リジェクト口２２とを有している。
【００２７】
硬貨処理ユニット１６には、入金処理時に操作者によりバラ硬貨が外部から投入される硬貨入金口２５と、入金処理時に入金されたバラ硬貨の中から偽硬貨あるいは汚損硬貨等と判別されたリジェクト硬貨が取り出し可能に繰り出される硬貨リジェクト口２６と、バラ硬貨の出金処理時に内部からバラ硬貨が取り出し可能に繰り出される硬貨出金口２７とが設けられている。
【００２８】
棒金出金ユニット１７には、包装硬貨の出金処理時に内部から包装硬貨が取り出し可能に繰り出される棒金出金口３１が設けられている。
【００２９】
金券処理ユニット１８には、発券処理時に内部から金券が繰り出される金券発券口３５と、収納処理時に操作者により金券が外部から投入される金券受入口３６とが設けられている。
【００３０】
貨幣処理機本体１１は、紙幣処理ユニット１５の上部に、操作者に対して操作ガイダンス等の情報を表示する液晶モニタからなる表示部４１と、操作者のＩＤカードの読み取り操作入力を受けてＩＤカードから情報を読み出すカードリーダ４２および操作者による操作入力を受け付ける操作キーボード４３を含む操作入力部４４（操作入力手段）と、操作者に対して音声案内等を行う音声発生部４５とを有している。貨幣処理機本体１１は、カードリーダ４２および操作キーボード４３を含む操作入力部４４への操作入力を伴って貨幣の上記処理を行う。
【００３１】
そして、第１実施形態に係る貨幣処理機１０においては、貨幣処理機本体１１に、貨幣処理機本体１１で入金できない媒体を収納する上記したポスト１２が付設されている。このポスト１２は、具体的には、硬貨処理ユニット１６の上面に搭載されている。ポスト１２は、図３にも示すように、直方体形状をなす本体部５５と、本体部５５の前面の上下方向の中間部から上部に設けられた開閉扉５６と、本体部５５の下部の左右方向の一側に設けられた引出部５７とを有している。
【００３２】
本体部５５には、図４に示すように、その上下方向の中間部から上部に、後方に凹む凹形状の収納空間形成部６１が形成されている。この収納空間形成部６１の内側が、貨幣処理機本体１１で入金できない媒体を収納する収納空間６２となっており、この収納空間６２は本体部５５において前方に開放されている。開閉扉５６は、この収納空間形成部６１の前部の左右方向一端側に連結されており、鉛直軸を中心に揺動して収納空間形成部６１の前部の開口部６３を開閉する。収納空間形成部６１および開閉扉５６が、貨幣処理機本体１１で入金できない媒体を収納する開閉可能な第１の収納部６４を構成している。
【００３３】
収納空間形成部６１の前部の左右方向逆端側には第１のロック機構（第１のロック手段）６６が設けられている。この第１のロック機構６６は、開閉扉５６の閉時に開閉扉５６の係合部６７に係合して開閉扉５６を閉状態でロックする。第１のロック機構６６は、開状態の開閉扉５６が閉じられると、係合部６７で押されて図示略のバネの付勢力に抗して揺動し係合部６７が通過すると係合部６７による押圧が解除されて図示略のバネの付勢力で揺動して係合部６７に係合する鉤状のフック６８を有している。
【００３４】
また、第１のロック機構６６は、収納空間形成部６１のフック６８と同側に、電気的に駆動されてフック６８をバネの付勢力に抗して揺動させてフック６８による係合部６７への係合を解除する図２に示す第１のソレノイド６９を有している。よって、第１のロック機構６６は、第１の収納部６４を閉状態でロックするとともに電気的に駆動されて第１の収納部６４の閉状態でのロックを解除する。
【００３５】
図４に示すように、収納空間形成部６１の上部には、開閉扉５６から突出する突出片部７１が開閉扉５６の閉時に挿入されることにより、開閉扉５６が閉状態にあることを検出し、突出片部７１が引き抜かれることで開閉扉５６が開状態にあることを検出する第１の開閉検出センサ７２が設けられている。
【００３６】
図３に示すように、開閉扉５６の上部には横長の投函口７４が形成されており、この投函口７４の裏側には投函口７４より上側の水平軸を中心に揺動して投函口７４を開閉するシャッタ７５が設けられている。投函口７４は開閉扉５６が閉状態にあっても本体部５５の図４に示す収納空間６２を外部に連通可能とする。つまり、第１の収納部６４への投函口７４を介して行われる媒体の投入は、開閉扉５６が閉状態であっても可能であり、常時可能となっている。
【００３７】
本体部５５には、その上下方向の下部つまり収納空間形成部６１の下側に、図５に示すように引出部５７を前方への引き出しおよび後方への押し込みを可能に支持する引出支持部７８が設けられている。前方に引き出し可能な引出部５７は下方に凹む凹形状をなしており、その内側が収納空間８０となっていて、この収納空間８０は引出部５７において上向きに開放されている。引出部５７が本体部５５の引出支持部７８に押し込まれると、引出支持部７８の上部を構成する図４に示す収納空間形成部６１の底板部８１および図３に示す閉状態の開閉扉５６が引出部５７の上部の図５に示す開口部８２を閉じる。また、引出部５７が本体部５５の引出支持部７８から引き出されると、引出部５７の上部の開口部８２が露出する。引出支持部７８および引出部５７が、開閉可能な第２の収納部８３を構成している。第２の収納部８３は、収納空間８０の大きさ（収納容量）が、第１の収納部６４の収納空間６２の大きさよりも小さくなっている。第２の収納部８３は、ポスト１２の前面の占める面積も、第１の収納部６４の占める面積よりも小さくなっている。
【００３８】
引出支持部７８の奥側には、図２に示す第２のロック機構（第２のロック手段）８６が設けられている。この第２のロック機構８６は、引出部５７の閉時に引出部５７の図示略の係合部に係合して引出部５７を閉状態でロックする。第２のロック機構８６は、図示は略すが、開状態の引出部５７が引出支持部７８に押し込まれて閉じられると、係合部で押されてバネの付勢力に抗して揺動し係合部が通過すると係合部による押圧が解除されてバネの付勢力で揺動して係合に係合する鉤状のフックを有している。
【００３９】
また、第２のロック機構８６は、引出支持部７８の奥側に、電気的に駆動されて図示略のフックをバネの付勢力に抗して揺動させてこのフックによる係合部への係合を解除する図２に示す第２のソレノイド８７を有している。よって、第２のロック機構８６は、第２の収納部８３を閉状態でロックするとともに電気的に駆動されて第２の収納部８３の閉状態でのロックを解除する。
【００４０】
引出支持部７８の奥側には、引出部５７が閉状態にあることおよび開状態にあることを検出する図２に示す第２の開閉検出センサ８８が設けられている。引出部５７は、引出支持部７８に対し通常の引き出し操作では、引出支持部７８から外れることがないようになっている。
【００４１】
引出部５７の奥側には第１のチェーン９１（連結部材）の一端が固定されており、この第１のチェーン９１の他端には、この引出部５７を含むポスト１２が付設されている貨幣処理機本体１１用の第１の鍵９２（鍵）が固定されている。つまり、この第１のチェーン９１によって第１の鍵９２が引出部５７に解除不可に連結されている。第１の鍵９２は、貨幣処理機本体１１の紙幣処理ユニット１５の図示略の鍵穴に挿入されることで紙幣処理ユニット１５の開閉部の閉状態でのロックを解除することになり、硬貨処理ユニット１６の図示略の鍵穴に挿入されることで硬貨処理ユニット１６の開閉部の閉状態でのロックを解除することになり、棒金出金ユニット１７の図示略の鍵穴に挿入されることで棒金出金ユニット１７の開閉部の閉状態でのロックを解除することになり、金券処理ユニット１８の図示略の鍵穴に挿入されることで金券処理ユニット１８の開閉部の閉状態でのロックを解除することになる。第１のチェーン９１は、これらのロックを解除可能な長さとされており、第１の鍵９２の引出部５７への収納時には、第１の鍵９２とともに収納空間８０に入れられる。
【００４２】
引出部５７の奥側には第２のチェーン９５（連結部材）の一端が固定されており、この第２のチェーン９５の他端には、この引出部５７を含むポスト１２が付設されている貨幣処理機本体１１以外の装置用の第２の鍵９６（鍵）が固定されている。つまり、この第２のチェーン９５によって第２の鍵９６が引出部５７に解除不可に連結されている。第２の鍵９６は、図示は略すが、例えば、運搬可能な手提げ金庫の開閉部の閉状態でのロックを解除する鍵であったり、この第２の鍵９６を収納するポスト１２が付設された貨幣処理機１０の近傍に配置された釣銭作成機の開閉部の閉状態でのロックを解除する鍵である。第２のチェーン９５も、対象装置のロックを解除可能な長さとされており、第２の鍵９６の引出部５７への収納時には、第２の鍵９６とともに収納空間８０に入れられる。本体部５５の引出部５７の側方には、ランプ９８が取り付けられている。
【００４３】
図２に示すように、第１のソレノイド６９、第１の開閉検出センサ７２、第２のソレノイド８７および第２の開閉検出センサ８８は、貨幣処理機本体１１の制御部１００に通信可能に接続されている。制御部１００は、第１の収納部６４の開許可条件が整うと第１のソレノイド６９を電気的に駆動して第１の収納部６４の閉状態でのロックを解除して開可能とし、第２の収納部８３の開許可条件が整うと第２のソレノイド８７を電気的に駆動して第２の収納部８３の閉状態でのロックを解除して開可能とする。また、制御部１００は、第１の開閉検出センサ７２の検出信号に基づいて、開閉扉５６が閉状態にあるか開状態にあるかを判定し、第２の開閉検出センサ８８の検出信号に基づいて、引出部５７が閉状態にあるか開状態にあるかを判定する。さらに、制御部１００は、表示部４１、操作入力部４４、音声発生部４５、貨幣処理機本体１１の記憶部１０１およびランプ９８に通信可能に接続されている。
【００４４】
貨幣処理機１０は、初期状態から、操作入力部４４のカードリーダ４２にＩＤカードが通されると、カードリーダ４２が、ＩＤカードから操作者識別情報を読み取って制御部１００に送信する。すると、制御部１００は、読み取った操作者識別情報と一致するものが、記憶部１０１に記憶されている操作者識別情報のマスタ情報の中にあるか否かを判断し、マスタ情報の中に、読み取った操作者識別情報があれば、この操作者識別情報を認証して、読み取った操作者識別情報に応じたメニュー画面を表示部４１に表示させて選択入力を待機する状態となる。他方、読み取った操作者識別情報と一致するものがマスタ情報の中になければ、制御部１００は、この操作者識別情報を認証することなく、表示部４１にエラーメッセージを一定時間表示させるとともに音声発生部４５にエラー警告音を一定時間発生させて初期状態に戻る。
【００４５】
ここで、読み取った操作者識別情報に応じたメニュー画面は、読み取った操作者識別情報が低位の操作者である場合と、低位の操作者よりも高位の操作者である場合とで異なっている。低位の操作者は、紙幣処理ユニット１５によるバラ紙幣の入出金処理、硬貨処理ユニット１６によるバラ硬貨の入出金処理、棒金出金ユニット１７による棒金の出金処理および金券処理ユニット１８による金券の発券処理および収納処理が可能な担当者である。また、高位の操作者は、これらの処理に加えて、紙幣処理ユニット１５、硬貨処理ユニット１６、棒金出金ユニット１７および棒金出金ユニット１７の各開閉部の第１の鍵９２による開閉が可能な管理者である。
【００４６】
読み取った操作者識別情報が、低位の操作者である場合に、制御部１００は、低位の操作者向けのメニュー画面を表示部４１に表示させて選択入力を待機する状態となる。この低位の操作者向けのメニュー画面は、紙幣処理ユニット１５によるバラ紙幣の入金処理と、同バラ紙幣の出金処理と、硬貨処理ユニット１６によるバラ硬貨の入金処理と、同バラ硬貨の出金処理と、棒金出金ユニット１７による棒金の出金処理と、金券処理ユニット１８による金券の発券処理と、同金券の収納処理と、のうちの少なくとも一つの処理を実行させる選択操作と、ポスト１２の第１の収納部６４の開操作との選択画面となっており、後述する第２の収納部８３の開操作のメニューは表示されない。
【００４７】
また、読み取った操作者識別情報が、高位の操作者である場合に、制御部１００は、高位の操作者向けのメニュー画面を表示部４１に表示させて選択入力を待機する状態となる。この高位の操作者向けのメニュー画面は、紙幣処理ユニット１５によるバラ紙幣の入金処理と、同バラ紙幣の出金処理と、硬貨処理ユニット１６によるバラ硬貨の入金処理と、同バラ硬貨の出金処理と、棒金出金ユニット１７による棒金の出金処理と、金券処理ユニット１８による金券の発券処理と、同金券の収納処理と、のうちの少なくとも一つの処理を実行させる選択操作と、ポスト１２の第１の収納部６４の開操作と、第２の収納部８３の開操作との選択画面となっている。
【００４８】
低位の操作者向けのメニュー画面に対して、操作入力部４４の操作キーボード４３を介してポスト１２の第１の収納部６４の開操作（第１のロック解除操作）が入力されると、制御部１００は、第１のロック機構６６の第１のソレノイド６９を駆動して、第１の収納部６４の閉状態でのロックを解除するとともに、その旨を表示部４１に表示させてランプ９８を点灯させる。この状態で第１の収納部６４の開閉扉５６が開放可能となり、操作者は、開閉扉５６を開いて収納空間６２にある媒体等を取り出す。
【００４９】
高位の操作者向けのメニュー画面に対して、操作入力部４４の操作キーボード４３を介してポスト１２の第１の収納部６４の開操作（第１のロック解除操作）が入力されると、制御部１００は、第１のロック機構６６の第１のソレノイド６９を駆動して、第１の収納部６４の閉状態でのロックを解除するとともに、その旨を表示部４１に表示させてランプ９８を点灯させる。この状態で第１の収納部６４の開閉扉５６が開放可能となり、操作者は、開閉扉５６を開いて収納空間６２にある媒体等を取り出す。
【００５０】
高位の操作者向けのメニュー画面に対して、操作入力部４４の操作キーボード４３を介してポスト１２の第２の収納部８３の開操作（第２のロック解除操作）が入力されると、制御部１００は、第２のロック機構８６の第２のソレノイド８７を駆動して、第２の収納部８３の閉状態でのロックを解除するとともに、その旨を表示部４１に表示させランプ９８を点滅させる。この状態で第２の収納部８３の引出部５７が引き出し可能となり、操作者は、引出部５７を引き出し開いて収納空間８０にある第１の鍵９２あるいは第２の鍵９６を取り出す。なお、第１の鍵９２は第１のチェーン９１の長さの範囲内で移動可能であり、第２の鍵９６は第２のチェーン９５の長さの範囲内で移動可能となっている。
【００５１】
以上により、操作入力部４４は、低位の操作者の認証を条件に、第１の収納部６４の閉状態でのロックを解除する開操作が操作可能となり、上位の操作者の認証を条件に、第１の収納部６４の閉状態でのロックを解除する開操作に加えて、第２の収納部８３の閉状態でのロックを解除する開操作が操作可能となる。
【００５２】
以上に述べた第１実施形態によれば、貨幣処理機本体１１に付設されたポスト１２に、貨幣処理機本体１１では入金できない媒体を収納する第１の収納部６４に加えて、これよりも小さい第２の収納部８３を設けてこの第２の収納部８３に第１の鍵９２および第２の鍵９６を収納する。よって、ポスト１２に、貨幣処理機本体１１で入金できない媒体に加えて第１の鍵９２および第２の鍵９６を収納することができる。したがって、第１の鍵９２および第２の鍵９６を収納しておく専用の管理装置が不要となり、あるいはその数を減らすことが可能となるため、コストを低減することができる。しかも、貨幣処理機本体１１の操作入力部４４への第１の収納部６４の開操作によって第１のロック機構６６が第１の収納部６４の閉状態でのロックを解除することになり、貨幣処理機本体１１の操作入力部４４への第２の収納部８３の開操作によって第２のロック機構８６が第２の収納部８３の閉状態でのロックを解除するため、貨幣処理機本体１１の操作入力部４４をポスト１２の第１の収納部６４の開放用および第２の収納部８３の開放用として共用できる。したがって、コストを低減することができる。
【００５３】
貨幣処理機本体１１用の第１の鍵９２をこの貨幣処理機本体１１に付設されたポスト１２の第２の収納部８３に収納しておくため、貨幣処理機本体１１用の第１の鍵９２が必要になった場合に即座に第１の鍵９２を用意することができる。
【００５４】
また、貨幣処理機本体１１以外の装置用の第２の鍵９６をこの貨幣処理機本体１１に付設されたポスト１２の第２の収納部８３に収納しておくため、第２の鍵９６を第１の鍵９２とともに一カ所に集中して収納しておくことができる。
【００５５】
また、第１の鍵９２が第１のチェーン９１によって第２の収納部８３に解除不可に連結されており、第２の鍵９６が第２のチェーン９５によって第２の収納部８３に解除不可に連結されているため、第１の鍵９２および第２の鍵９６の紛失や第１の鍵９２および第２の鍵９６が所在不明になることを防止できる。
【００５６】
また、低位の操作者の認証を条件に、操作入力部４４への第１の収納部６４の開操作が可能となり、上位の操作者の認証を条件に、操作入力部４４への第１の収納部６４の開操作に加えて、操作入力部４４への第２の収納部８３の開操作が可能となるため、第１の収納部６４による媒体の収納の安全を確保した上で、より安全に第２の収納部８３で第１の鍵９２および第２の鍵９６を収納することができる。
【００５７】
なお、低位の操作者および高位の操作者のいずれの認証であっても、操作者の認証を条件に、操作入力部４４への第１の収納部６４の開操作および第２の収納部８３の開操作を両方可能としても良い。これによっても、操作者の認証が、第１の収納部６４の開操作および第２の収納部８３の開操作の条件となるため、第１の収納部６４で媒体を、第２の収納部８３で第１の鍵９２および第２の鍵９６を、それぞれ安全に収納することができる。
【００５８】
「第２実施形態」
本発明の第２実施形態に係る貨幣処理機を図６および図７を主に参照して第１実施形態との相違部分を中心に以下に説明する。第２実施形態は、第１実施形態に対して貨幣処理機本体１１に付設されるポスト１２に収納部を増設したものとなっている。
【００５９】
図６に示すように、第２実施形態においては、ポスト１２の本体部５５に、第２の収納部８３と隣り合って、引出部１１１を前方への引き出しおよび後方への押し込みを可能に支持する引出支持部１１２が設けられている。前方に引き出し可能な引出部１１１は下方に凹む凹形状をなしており、その内側が収納空間１１３となっていて、この収納空間１１３は引出部１１１において上向きに開放されている。引出部１１１が本体部５５の引出支持部１１２に押し込まれると、引出支持部１１２の上部を構成する底板部８１（図４参照）および閉状態の開閉扉５６が引出部１１１の上部の開口部１１４を閉じる。また、引出部１１１が本体部５５の引出支持部１１２から引き出されると、引出部１１１の上部の開口部１１４が露出する。引出支持部１１２および引出部１１１が開閉可能な第３の収納部１１５を構成している。第３の収納部１１５は、収納空間１１３の大きさ（収納容量）が、第１の収納部６４の収納空間６２（図４参照）の大きさよりも小さく、第２の収納部８３の収納空間８０（図５参照）の大きさよりも大きくなっている。第３の収納部１１５は、ポスト１２の前面の占める面積も、第１の収納部６４の占める面積より小さく、第２の収納部８３の占める面積より大きくなっている。
【００６０】
引出支持部１１２の奥側には図７に示す第３のロック機構（第３のロック手段）１２０が設けられている。この第３のロック機構１２０は、引出部１１１の閉時に引出部１１１の図示略の係合部に係合して引出部１１１を閉状態でロックする。第３のロック機構１２０は、図示は略すが、開状態の引出部１１１が引出支持部１１２に押し込まれて閉じられると、係合部で押されてバネの付勢力に抗して揺動し係合部が通過すると係合部による押圧が解除されてバネの付勢力で揺動して係合に係合する鉤状のフックを有している。
【００６１】
また、第３のロック機構１２０は、引出支持部１１２の奥側に、電気的に駆動されて図示略のフックをバネの付勢力に抗して揺動させてこのフックによる係合部への係合を解除する図７に示す第３のソレノイド１２１を有している。よって、第３のロック機構１２０は、第３の収納部１１５を閉状態でロックするとともに電気的に駆動されて第３の収納部１１５の閉状態でのロックを解除する。
【００６２】
引出支持部１１２の奥側には、引出部１１１が閉状態にあることおよび開状態にあることを検出する図７に示す第３の開閉検出センサ１２２が設けられている。引出部１１１は、引出支持部１１２に対し通常の引き出し操作では、引出支持部１１２から外れることがないようになっている。
【００６３】
第２実施形態においては、第１実施形態と同様、第２の収納部８３の引出部５７の奥側に第１のチェーン９１の一端部が固定されており、この第１のチェーン９１の他端部には第１の鍵９２が固定されている（図５参照）。他方で、第３の収納部１１５の引出部１１１の奥側に、第１実施形態と同様の第２のチェーン９５の一端部が固定されており、この第２のチェーン９５の他端部に第２の鍵９６が固定されている。第２のチェーン９５は、第２の鍵９６の引出部１１１への収納時には、第２の鍵９６とともに収納空間１１３に入れられる。
【００６４】
第３のソレノイド１２１および第３の開閉検出センサ１２２は、貨幣処理機本体１１の制御部１００に通信可能に接続されている。制御部１００は、第１の収納部６４の開許可条件が整うと第１のソレノイド６９を電気的に駆動して第１の収納部６４の閉状態でのロックを解除して開可能とし、第２の収納部８３の開許可条件が整うと第２のソレノイド８７を電気的に駆動して第２の収納部８３の閉状態でのロックを解除して開可能とする。また、第３の収納部１１５の開許可条件が整うと第３のソレノイド１２１を電気的に駆動して第３の収納部１１５の閉状態でのロックを解除して開可能とする。
【００６５】
初期状態から、操作入力部４４のカードリーダ４２にＩＤカードが通されると、カードリーダ４２は、ＩＤカードから操作者識別情報を読み取って制御部１００に送信する。すると、制御部１００は、第１実施形態と同様、読み取った操作者識別情報と一致するものが、記憶部１０１に記憶されている操作者識別情報のマスタ情報の中にあるか否かを判断し、マスタ情報の中に、読み取った操作者識別情報があれば、この操作者識別情報を認証して、読み取った操作者識別情報に応じたメニュー画面を表示部４１に表示させて選択入力を待機する状態となる。
【００６６】
ここで、読み取った操作者識別情報に応じたメニュー画面は、読み取った操作者識別情報が低位の操作者である場合と、低位の操作者よりも高位の操作者である場合とで異なる。
【００６７】
読み取った操作者識別情報が、低位の操作者である場合に、制御部１００は、低位の操作者向けのメニュー画面を表示部４１に表示させて選択入力を待機する状態となる。この低位の操作者向けのメニュー画面は、紙幣処理ユニット１５によるバラ紙幣の入金処理と、同バラ紙幣の出金処理と、硬貨処理ユニット１６によるバラ硬貨の入金処理と、同バラ硬貨の出金処理と、棒金出金ユニット１７による棒金の出金処理と、金券処理ユニット１８による金券の発券処理と、同金券の収納処理と、のうちの少なくとも一つの処理を実行させる選択操作と、ポスト１２の第１の収納部６４の開操作と、第２の収納部８３の開操作との選択画面となっており、後述する第３の収納部１１５の開操作のメニューは表示されない。
【００６８】
また、読み取った操作者識別情報が、高位の操作者である場合に、制御部１００は、高位の操作者向けのメニュー画面を表示部４１に表示させて選択入力を待機する状態となる。この高位の操作者向けのメニュー画面は、紙幣処理ユニット１５によるバラ紙幣の入金処理と、同バラ紙幣の出金処理と、硬貨処理ユニット１６によるバラ硬貨の入金処理と、同バラ硬貨の出金処理と、棒金出金ユニット１７による棒金の出金処理と、金券処理ユニット１８による金券の発券処理と、同金券の収納処理と、のうちの少なくとも一つの処理を実行させる選択操作と、ポスト１２の第１の収納部６４の開操作と、第２の収納部８３の開操作と、第３の収納部１１５の開操作との選択画面となっている。
【００６９】
低位の操作者向けのメニュー画面に対して、操作入力部４４の操作キーボード４３を介してポスト１２の第１の収納部６４の開操作（第１のロック解除操作）が入力されると、制御部１００は、第１のロック機構６６の第１のソレノイド６９を駆動して、第１の収納部６４の閉状態でのロックを解除するとともに、その旨を表示部４１に表示させてランプ９８を点灯させる。この状態で第１の収納部６４の開閉扉５６が開放可能となり、操作者は、開閉扉５６を開いて収納空間６２にある媒体等を取り出す。
【００７０】
低位の操作者向けのメニュー画面に対して、操作入力部４４の操作キーボード４３を介してポスト１２の第２の収納部８３の開操作（第２のロック解除操作）が入力されると、制御部１００は、第２のロック機構８６の第２のソレノイド８７を駆動して、第２の収納部８３の閉状態でのロックを解除するとともに、その旨を表示部４１に表示させランプ９８を点滅させる。この状態で第２の収納部８３の引出部５７が引き出し可能となり、操作者は、引出部５７を引き出して開いて収納空間８０にある第１の鍵９２を取り出す。なお、第１の鍵９２は第１のチェーン９１の長さの範囲内で移動可能となっている。
【００７１】
高位の操作者向けのメニュー画面に対して、操作入力部４４の操作キーボード４３を介してポスト１２の第１の収納部６４の開操作（第１のロック解除操作）が入力されると、制御部１００は、第１のロック機構６６の第１のソレノイド６９を駆動して、第１の収納部６４の閉状態でのロックを解除するとともに、その旨を表示部４１に表示させてランプ９８を点灯させる。この状態で第１の収納部６４の開閉扉５６が開放可能となり、操作者は、開閉扉５６を開いて収納空間６２にある媒体等を取り出す。
【００７２】
高位の操作者向けのメニュー画面に対して、操作入力部４４の操作キーボード４３を介してポスト１２の第２の収納部８３の開操作（第２のロック解除操作）が入力されると、制御部１００は、第２のロック機構８６の第２のソレノイド８７を駆動して、第２の収納部８３の閉状態でのロックを解除するとともに、その旨を表示部４１に表示させランプ９８を点滅させる。この状態で第２の収納部８３の引出部５７が引き出し可能となり、操作者は、引出部５７を引き出して開いて収納空間８０にある第１の鍵９２を取り出す。
【００７３】
高位の操作者向けのメニュー画面に対して、操作入力部４４の操作キーボード４３を介してポスト１２の第３の収納部１１５の開操作（第３のロック解除操作）が入力されると、制御部１００は、第３のロック機構１２０の第３のソレノイド１２１を駆動して、第３の収納部１１５の閉状態でのロックを解除するとともに、その旨を表示部４１に表示させランプ９８を点滅させる。この状態で第３の収納部１１５の引出部１１１が引き出し可能となり、操作者は、引出部１１１を引き出し開いて収納空間１１３にある第２の鍵９６を取り出す。なお、第２の鍵９６は第２のチェーン９５の長さの範囲内で移動可能となっている。
【００７４】
以上により、操作入力部４４は、低位の操作者の認証を条件に、第１の収納部６４の閉状態でのロックを解除する開操作と第２の収納部８３の閉状態でのロックを解除する開操作とが操作可能となり、上位の操作者の認証を条件に、これらに加えて、第３の収納部１１５の閉状態でのロックを解除する開操作が操作可能となる。
【００７５】
以上に述べた第２実施形態によれば、ポスト１２に、第１の収納部６４に加えて、これよりも小さい第２の収納部８３および第３の収納部１１５を設けて第２の収納部８３に第１の鍵９２を第３の収納部１１５に第２の鍵９６を収納する。よって、第１の鍵９２および第２の鍵９６を、第２の収納部８３および第３の収納部１１５に分類して収納することができる。
【００７６】
また、低位の操作者の認証を条件に、操作入力部４４への第１の収納部６４の閉状態でのロックを解除する開操作と、第２の収納部８３の閉状態でのロックを解除する開操作とが可能となり、上位の操作者の認証を条件に、操作入力部４４への第１の収納部６４および第２の収納部８３の開操作に加えて、操作入力部４４への第３の収納部１１５の閉状態でのロックを解除する開操作が可能となるため、第１の収納部６４での媒体の収納および第２の収納部８３での第１の鍵９２の収納の安全を確保した上で、より安全に第３の収納部１１５で第２の鍵９６を収納することができる。
【００７７】
なお、低位の操作者および高位の操作者のいずれの認証であっても、操作者の認証を条件に、操作入力部４４への第１の収納部６４の開操作、第２の収納部８３の開操作および第３の収納部１１５の開操作のすべてを可能としても良い。これによっても、操作者の認証が、第１の収納部６４の開操作、第２の収納部８３の開操作および第３の収納部１１５の開操作の条件となるため、第１の収納部６４で媒体を、第２の収納部８３で第１の鍵９２を、第３の収納部１１５で第２の鍵９６を、それぞれ安全に収納することができる。
【符号の説明】
【００７８】
１０  貨幣処理機
１１  貨幣処理機本体
１２  ポスト
４４  操作入力部（操作入力手段）
６４  第１の収納部
６６  第１のロック機構（第１のロック手段）
８３  第２の収納部
８６  第２のロック機構（第２のロック手段）
９１  第１のチェーン（連結部材）
９２  第１の鍵（鍵）
９５  第２のチェーン（連結部材）
９６  第２の鍵
１１５  第３の収納部
１２０  第３のロック機構（第３のロック手段）
【図１】
2018129067.tif 000003
【図２】
2018129067.tif 000004
【図３】
2018129067.tif 000005
【図４】
2018129067.tif 000006
【図５】
2018129067.tif 000007
【図６】
2018129067.tif 000008
【図７】
2018129067.tif 000009